(57)【要約】【課題】建物の外壁に庇を取り付ける際に、外壁の内部の鉄筋と庇を固定するためのボルトを通す外壁側ボルト用貫通穴の位置が干渉した場合であっても、取付け位置の移動や、或いは、外壁の内部の鉄筋の切断に伴う構造上の不具合を回避して、外壁に対する最適な位置に常に高い精度で庇を設置することができる取付け手段を提供すること。【解決手段】本体ブロック部１０と、庇側プレート部１１の長辺方向の一側辺の中央近傍を起点とし、庇側プレート部１１の表面と平行な向きに本体ブロック部１０の外側に向けて突出して形成される庇固定用突出部１４と、を有し、庇固定用突出部１４には庇側ボルト用貫通穴１４１が形成されていて、庇側プレート部１１には、作業用開口部１１１が形成されていて、外壁側プレート部１２には、ルーズスリット１２１が形成されている、庇取付け用金物１とする。【選択図】図１
2017075466.tif 000002
【特許請求の範囲】
【請求項１】
相互に平行に対面する庇側プレート部及び外壁側プレート部と、前記庇側プレート部及び前記外壁側プレート部との間に所定の間隔を確保してこれらを連接する連接部とからなる本体ブロック部と、
前記庇側プレート部の長辺方向の一側辺の中央近傍を起点とし、前記庇側プレート部の表面と平行な向きに本体ブロック部の外側に向けて突出して形成される庇固定用突出部と、を有し、
前記庇固定用突出部には庇側ボルト用貫通穴が形成されていて、
前記庇側プレート部には、作業用開口部が形成されていて、
前記外壁側プレート部には、外壁側ボルト用のルーズスリットが形成されている、庇取付け用金物。
【請求項２】
前記本体ブロック部が角形鋼管により構成されていて、該角形鋼管の背面に形成されるプレート係合用凹部に前記庇固定用突出部が溶接されている請求項１に記載の庇取付け用金物。
【請求項３】
請求項１又は２に記載の庇取付け用金物を介して、庇本体が、軽量気泡コンクリートパネルに取り付けられてなる庇取付け構造であって、
前記庇本体の取付け基端部には、前記庇取付け用金物の本体ブロック部と係合可能な金物係合用凹部が形成されている庇取付け構造。
【発明の詳細な説明】
【技術分野】
【０００１】
本発明は、建物の外壁等から外部に向けて張り出す構造の庇を取り付けるために用いる庇取付け用金物、及び、それを用いた庇取付構造に関する。
【背景技術】
【０００２】
外壁に庇を取り付ける際には、庇本体を、直接又は各種の取付け金物を介して、外壁に固定する。取付け金物や庇本体については様々な形状のものが考案されているが、いずれの場合においても、庇本体の外壁への設置は、主としてボルト固定によることが一般的である（特許文献１参照）。
【０００３】
例えば、図７に示すように、外壁３の開口部３０の上方の位置に、庇本体２をボルト固定により取り付ける場合であれば、庇本体２に埋設されたインサートナットにボルトを螺合し、次に、外壁３における当該ボルトと同一の水平位置に外壁側ボルト用貫通穴を開け、更に当該外壁側ボルト用貫通穴にボルトを通し、このボルトを室内側の座金及びナットと螺合させることにより庇本体２を外壁３に固定する外壁への庇の取付け方法が広く行われている。
【０００４】
このような取付け方法による場合、外壁３の内部の鉄筋３１（図６参照）と、ボルトを通すための外壁側ボルト用貫通穴３２ａ（図６参照）の位置が干渉する場合がある。その場合には、外壁側ボルト用貫通穴の形成位置と庇本体２の設置位置をずらすか、或いは、当該鉄筋を切断して、当初に企図した外壁側ボルト用貫通穴の形成位置をそのまま保持するかのいずれかの手段で対応するしかなかった。庇本体２の設置位置をずらした場合には、庇本体の中心と外壁３の開口部の中心がずれて意匠性の低下を招くという問題があった。又、外壁３の内部の鉄筋を切断した場合には、外壁を構成するパネル部材等の強度が低下してしまうという問題があった。
【先行技術文献】
【特許文献】
【０００５】
【特許文献１】特開２００２−２６６４５９号公報
【発明の概要】
【発明が解決しようとする課題】
【０００６】
本発明は、建物の外壁に庇を取り付ける際に、外壁の内部の鉄筋と庇を固定するためのボルトを通す外壁側ボルト用貫通穴の位置が干渉した場合であっても、取付け位置の移動や、或いは、外壁の内部の鉄筋の切断に伴う構造上の不具合を回避して、外壁に対する最適位置に常に高い精度で庇を設置することができる取付け手段を提供することを目的とする。
【課題を解決するための手段】
【０００７】
本発明者らは、外壁、特にはＡＬＣパネルからなる外壁に庇を取り付ける際に、本発明特有の独自形状からなる庇取付け用金物を介して、庇本体を外壁に取り付けることによって上記課題を解決できることを見出し、本発明を完成するに至った。具体的には、本発明は以下のものを提供する。
【０００８】
（１）  相互に平行に対面する庇側プレート部及び外壁側プレート部と、前記庇側プレート部及び前記外壁側プレート部との間に所定の間隔を確保してこれらを連接する連接部とからなる本体ブロック部と、前記庇側プレート部の長辺方向の一側辺の中央近傍を起点とし、前記庇側プレート部の表面と平行な向きに本体ブロック部の外側に向けて突出して形成される庇固定用突出部と、を有し、前記庇固定用突出部には庇側ボルト用貫通穴が形成されていて、前記庇側プレート部には、作業用開口部が形成されていて、前記外壁側プレート部には、外壁側ボルト用のルーズスリットが形成されている、庇取付け用金物。
【０００９】
（１）の発明によれば、建物の外壁に庇を取り付ける際に、外壁の内部の鉄筋と、庇を取り付けるためのボルト位置が干渉した場合であっても、外壁側プレート部に形成された外壁側ボルト用のルーズスリットの幅（図１のＷ）の範囲で、庇の設置位置を変動させずに、固定用の外壁側ボルトの位置のみを適切な距離だけ水平移動し、この状態で庇を外壁に固定することができる。これにより、外壁の強度が、その内部の鉄筋の切断によって低下してしまうことを回避しながら、常に外壁に対して最も適切な位置に庇を正確に設置することができる。
【００１０】
（２）  前記本体ブロック部が角形鋼管により構成されていて、該角形鋼管の背面に形成されるプレート係合用凹部に前記庇固定用突出部が溶接されている（１）に記載の庇取付け用金物。
【００１１】
（２）の発明によれば、入手容易な汎用部材である角型鋼管を主たる材料とし、これに簡易な加工を施すことにより、（１）の庇取付け用金物を低コスト且つ容易に形成することができる。よって、（１）の発明を、低コスト且つ容易に実施することができる。
【００１２】
（３）  （１）又は（２）に記載の庇取付け用金物を介して、庇本体が、軽量気泡コンクリートパネルに取り付けられてなる庇取付け構造であって、前記庇本体の取付け基端部には、前記庇取付け用金物の本体ブロック部と係合可能な金物係合用凹部が形成されている庇取付け構造。
【００１３】
（３）の発明によれば、軽量で施工性には優れるが、普通コンクリート等よりは強度が劣るＡＬＣパネルからなる外壁構造において、（１）又は（２）の発明の効果を享受することにより、ＡＬＣパネルからなる外壁構造に必要とされる強度を損なうことなく、常に最適な位置に高い精度で庇を取付けることができる。
【発明の効果】
【００１４】
本発明によれば、建物の外壁に庇を取り付ける際に、外壁の内部の鉄筋と庇を固定するためのボルトを通す外壁側ボルト用貫通穴の位置が干渉した場合であっても、取付け位置の移動や、或いは、外壁の内部の鉄筋の切断に伴う構造上の不具合を回避して、常に最も好ましい位置に高い精度で庇を設置することができる。
【図面の簡単な説明】
【００１５】
【図１】本発明の庇取付け用金物の全体形状を示す斜視図である。
【図２】本発明の庇取付け用金物を、庇側プレート部の側から見た正面図である。
【図３】本発明の庇取付け用金物を、外壁側プレート部の側から見た背面図である。
【図４】本発明の庇取付け用金物の上面図である。
【図５】本発明の庇取付け用金物を用いてなる庇取付け構造の部分断面図である。
【図６】本発明の庇取付け用金物を用いてなる庇取付け構造の実施形態の説明に供する図面である。
【図７】本発明の庇取付け用金物を用いてなる庇取付け構造の全体構成を示す斜視図である。
【発明を実施するための形態】
【００１６】
＜庇取付け用金物＞
本発明の庇取付け用金物１は、図７に示すような庇取付け構造１００、即ち、ＡＬＣパネル等からなる外壁３に庇本体２を設置してなる構造を建造する際に、庇本体２と外壁３との間に配置されて両者を接合する金属部材である。
【００１７】
図１〜３に示す通り、庇取付け用金物１は、本体ブロック部１０と、本体ブロック部１０の外部に向けて突出する略矩形状の板状部分である庇固定用突出部１４とを含んで形成されている。
【００１８】
本体ブロック部１０は、相互に平行に対面する庇側プレート部１１と、外壁側プレート部１２と、これらを連接する連接部１３によって構成されている。図１に示す通り、本体ブロック部１０は、例えば、一体成型された角型鋼管によって構成することができる。この場合、庇側プレート部１１と外壁側プレート部１２の両端をそれぞれ接合する対面する一組の面が連接部１３となる。
【００１９】
但し、本体ブロック部１０は必ずしも角型鋼管のような一体成形品であることが必須ではない。連接部１３は、庇側プレート部１１と外壁側プレート部１２との間の所定の距離と相互の平行を保持したまま必要とされる十分な強度をもって本体ブロック部１０を構成できるも部材であれば特定の形状に限定されない。例えば、連接部１３を十分な強度を有する単一のプレート部材とし、これによって庇側プレート部１１と外壁側プレート部１２とを、所定の距離と相互の平行を保持したまま連接してもよい。このような構成からなる断面Ｈ上の鋼体を、本発明の庇取付け用金物を構成する本体ブロック部とすることもできる。以下においては、上記において説明した、本体ブロック部１０が矩形状の断面を有する筒状の角型鋼管によって構成されている庇取付け用金物１を、本発明の好ましい実施形態の具体例としてその詳細を説明する。
【００２０】
本体ブロック部１０において、庇側プレート部１１には、庇側プレート部１１において、使用時に水平方向となることが想定される長辺方向（本明細書における「長辺方向」とはこの方向のことを言うものとする。各プレートの外形をなす隣接する辺の長さが等しい場合には、使用時に水平方向となることが想定される方向を長辺方向とする。）における一方の側端部の近傍に、作業用開口部１１１が形成されている。作業用開口部１１１の形状やサイズは、庇取付け用金物１を外壁３に固定するために用いる外壁側ボルト５１（図５参照）等の固定具を挿入可能で、且つ、当該開口部分を通して、当該外壁側ボルト５１の締め付け等の作業を行うことができる形状及びサイズであればよい。
【００２１】
一方、本体ブロック部１０において、外壁側プレート部１２には、外壁側ボルト５１、を貫通可能なスリットであるルーズスリット１２１が形成されている。ルーズスリット１２１は、外壁側ボルト５１を通すことができる幅で、外壁側プレート部１２の長辺方向に沿って長さＷ（図１）で、且つ、外壁側プレート部１２の中央部近傍を通る位置に形成されている。庇取付け用金物１を用いた庇取付け構造１００においては、このルーズスリット１２１の長さＷの範囲内において、庇本体２の取付け位置を固定したまま、外壁側ボルト５１の位置を水平方向における任意の所望の位置に移動させることができる。
【００２２】
本体ブロック部１０の厚さＤ（図１）は、庇側プレート部１１の表面と外壁側プレート部１２の表面との間の距離によって規定される。本体ブロック部１０の厚さＤは、図５に示すように、取付け対象物とする庇本体２の取付け基端部に庇取付け用金物１と係合可能に形成される金物係合用凹部２１の深さと略同一の大きさとなるように、本体ブロック部１０の厚さＤと相互のサイズを金物係合用凹部２１の深さとを、相互に適切なサイズに設計し、最適なサイズとなるように調整すればよい。図５に示すように、庇取付け構造１００においては、本体ブロック部１０の厚さＤと、金物係合用凹部２１の深さとが略同一であることが好ましい。
【００２３】
庇固定用突出部１４は、庇側プレート部１１の長辺方向の一側辺の中央近傍を起点とし、庇側プレート部１１の面方向と平行な方向に向けて本体ブロック部１０の外部に向けて突出する態様で形成されている。庇固定用突出部１４の平面形状は略矩形状であることが好ましい。庇固定用突出部１４には、本体ブロック部１０から突出している部分の略中央に、庇側ボルト４１を通すための庇側ボルト用貫通穴１４１が形成されている。
【００２４】
図１及び図４に示す通り、本体ブロック部１０の庇側の面は、庇固定用突出部１４の表面と、庇側プレート部１１の表面との段差がない所謂面一の状態となるように形成されていることが好ましい。図４に示す通り、庇側プレート部１１の中央近傍部を、庇固定用突出部１４の厚さ分の凹みを有するプレート係合用凹部１１２とし、プレート係合用凹部１１２に庇固定用突出部１４を係合させて溶接することにより、上記の面一の状態で庇固定用突出部１４を庇側プレート部１１に固定することができる。尚、これに限らず、庇側プレート部１１と庇固定用突出部１４とを、庇側プレート部の一部を延出させて庇固定用突出部とする形状で一体形成することによっても、上記のように、両部材の表面が面一の状態にある庇取付け用金物１を形成することができる。
【００２５】
＜庇取付け構造＞
本発明の庇取付け構造とは、外壁と、それに取り付けられている庇を含んでなる構造体であって、外壁への庇本体の取り付けが、本発明の庇取付け用金物を介して行われている構造体のことを言う。
【００２６】
図７にその構成を模式的に示す庇取付け構造１００においては、一般に外壁３の開口部３０の上端部に庇取付け用金物１を介して庇本体２が設置される。このような庇取付け構造１００は、図５に示すように、先ず、庇取付け用金物１を庇側固定具４によって庇本体２に固定して一体化した後に、庇取付け用金物１と庇本体２が一体化されてなるこの部材を、外壁側固定具５によって外壁３に固定することにより形成することができる。
【００２７】
庇取付け用金物１の庇本体２への固定は、以下の手順によることができる。先ず、庇取付け用金物１の長さ方向の端部側において庇側プレート部１１と外壁側プレート部１２のとの間に形成される隙間部分から、例えばφ４０程度の座金を挿入して適切な位置に配置しておく。そして、庇側プレート部１１に形成されている作業用開口部１１１から、例えば長さ１４０ｍｍ〜２００ｍｍ程度の外壁側ボルト５１を、先に配置した座金、及び、外壁側プレート部１２のルーズスリット１２１を通して挿入する。次に、外壁側ボルト５１が挿入された状態の庇取付け用金物１を、庇本体２に予め設置されたインサートナット４２に、庇側ボルト用貫通穴１４１を通して庇側ボルト４１を挿入し螺合することにより、庇取付け用金物１を庇本体２へ固定する。
【００２８】
庇取付け用金物１と庇本体２が一体化された部材の外壁３への固定は、以下の手順によることができる。先ず、外壁３に、外壁側ボルト５１ａを通す外壁側ボルト用貫通穴３２ａを形成する。しかし、図６に示すように外壁３を構成するＡＬＣパネル等の内部の鉄筋３１と、この外壁側ボルト用貫通穴３２ａの位置とが干渉する場合がある。このような干渉が起こった場合には、外壁側ボルト用貫通穴３２ａの形成位置を、ルーズスリット１２１の長さＷの範囲内において、適当に水平移動させて、上記の干渉が発生しない位置に新たな貫通孔３２ｂを形成する。この新たな貫通孔３２ｂにルーズスリット１２１に沿って水平移動させた外壁側ボルト５１ｂを貫通させ、これを図５に示す通り室内側において外壁側ナット５２と螺合させて、庇本体２を外壁３に固定する。この方法によれば、外壁３の内部の鉄筋３１と庇本体２を外壁３に固定するための外壁側ボルト５１を通す外壁側ボルト用貫通穴３２の位置が干渉した場合であっても、庇本体２の取付け位置の移動や、或いは、外壁３の内部の鉄筋３１の切断に伴う構造上の不具合を回避して、外壁３に対する最適な位置に常に高い精度で庇本体２を設置することができる。外壁側固定具５や庇側固定具４による螺合による各接合部分については、必要に応じて適宜、溶接加工を施すことによって各接合部における接合強度を適切に補強することが更に好ましい。
【００２９】
実際の建築現場における外壁の開口部への庇の設置については、通常、開口部の中心と庇の中心が一致するように庇を正確な位置に設定することが求められる。しかしながら、庇を外壁に固定するためのボルトを通す貫通穴と外壁を構成するＡＬＣパネルの主筋の干渉をＡＬＣパネルの製造段階で未然に完全に防ぐことは極めて困難である。このような干渉が発生してしまった場合においては、従来は、庇の位置を開口部の中心から微妙にずらして対応していた。しかし、本発明の庇取付け用金物を用いることにより、庇の設置位置をずらすことなく、ボルトを貫通させるための穴の位置のみを水平移動させて、ＡＬＣパネルの主筋を切断することもなく、庇の中心と開口部の中心が一致する位置に正確に庇を設置することができるようになる。
【符号の説明】
【００３０】
１                  庇取付け用金物
１１                庇側プレート部
１１１              作業用開口部
１１２              プレート係合用凹部
１２                外壁側プレート部
１２１              ルーズスリット
１３                連接部
１４                庇固定用突出部
１４１              庇側ボルト用貫通穴
１０                本体ブロック部
２                  庇本体
２１                金物係合用凹部
３                  外壁
３０                開口部
３１                鉄筋
３２                外壁側ボルト用貫通穴
４                  庇側固定具
４１                庇側ボルト
４２                インサートナット
５                  外壁側固定具
５１                外壁側ボルト
５２                外壁側ナット
１００              庇取付け構造
【図１】
2017075466.tif 000003
【図２】
2017075466.tif 000004
【図３】
2017075466.tif 000005
【図４】
2017075466.tif 000006
【図５】
2017075466.tif 000007
【図６】
2017075466.tif 000008
【図７】
2017075466.tif 000009